(57)【要約】【課題】簡単な構造で、魚釣用餌籠を海中に投げ込む時の遠心力で各籠半体が開くのを防止して、目標とする海中内でのみ籠本体内の餌を適確且つ効果的に放出すること。【解決手段】上部１ａが互いに枢着されて側部１ｂ及び底部１ｃが開閉可能とされると共に餌撒き用の上部開口２を有する一対の籠半体１，１からなる籠本体Ａと、籠本体Ａの上部に係止されて各籠半体１，１を互いに閉じる方向に付勢するバネ部材３とを備えた魚釣用餌籠である。釣糸５に連結された魚釣用餌籠を海中に投げ込むときの遠心力によって各籠半体１，１がバネ部材３のバネ力に抗して開くのを防止するための籠開き防止手段６を設けた。【選択図】　　　　図１
2004041028.tif 000002
【特許請求の範囲】
【請求項１】
一対の籠半体の上部が互いに枢着されて側部及び底部が開閉可能とされると共に上部に餌撒き用の開口を設けて籠本体が形成され、籠本体の上部に各籠半体を互いに閉じる方向に付勢するバネ部材が係止された魚釣用餌籠であって、釣糸に連結された魚釣用餌籠を海中に投げ込むときの遠心力によって各籠半体がバネ部材のバネ力に抗して開くのを防止するための籠開き防止手段を設けたことを特徴とする魚釣用餌籠。
【請求項２】
籠開き防止手段は、その一端が釣糸に連結され他端がバネ部材に設けた環部を通して籠本体の上部の枢着軸近傍に連結される開き防止糸により構成されていることを特徴とする請求項１記載の魚釣用餌籠。
【請求項３】
開き防止糸の他端を２本の糸で形成し、その一方の先端を一方の籠半体の枢着軸近傍に連結すると共に他方の先端を上部開口を挟んで上記一方の籠半体の枢着軸と対向する他方の籠半体の枢着軸近傍に連結してなることを特徴とする請求項２記載の魚釣用餌籠。
【発明の詳細な説明】
【０００１】
【発明の属する技術分野】
本発明は、釣り糸の下端に取り付けて水中に投下し、その内部に詰め込まれた餌を籠本体の上部開口から外部に撒き散らして魚をおびき寄せるための魚釣用餌籠に関するものである。
【０００２】
【従来の技術】
従来例として実公昭５−２２０７０号公報に示された魚釣用餌籠が知られている。この魚釣用餌籠は、図３（ａ）に示すように、上部１ａが互いに枢着されて側部１ｂ及び底部１ｃが開閉可能とされると共に餌撒き用の上部開口２が設けられた各籠半体１，１からなる籠本体Ａと、籠本体Ａの上部１ａに取り付けられて籠半体１，１を互いに閉じる方向に付勢するバネ部材３とを備えている。この従来例では釣針１５をつけた釣糸５の先端にバネ部材３に設けた環部４を結びつけ、籠本体Ａ内に冷凍あみエビのような餌を入れた後に、魚釣用餌籠を海中に投げ込む。このとき、籠本体Ａの底部１ｃ内側に設けた重り１５によって籠本体Ａの上部開口２が上向きとなり、釣竿を微少量上下させると上部開口２から少しずつ餌が出て魚をおびき寄せるものである。
【０００３】
【発明が解決しようとする課題】
ところが、従来の魚釣用餌籠では、重り１５の付いた籠本体Ａを海中に投げ込む時の遠心力によってバネ部材３の環部４が籠本体Ａから離れる方向（図３（ｂ）の矢印イで示す方向）に引っ張られる。これによりバネ部材３の両端が閉じる方向ロに変形して、各籠半体１，１が枢着軸７を中心として矢印ハで示す方向に開くことで、海に入る前に籠本体Ａ内に詰め込んだ多量の餌が矢印ニで示す方向に流出してしまい、特に投げ釣りにおいては海中での撒き餌が効果的に行なえなくなるという問題があった。
【０００４】
本発明は上記した従来例の問題点に鑑みて発明したものであって、その目的とするところは、簡単な構造で、魚釣用餌籠を海中に投げ込む時の遠心力で各籠半体が開くのを防止でき、目標とする海中内でのみ籠本体内の餌を適確且つ効果的に放出できるようにした新規な構造の魚釣用餌籠を提供することにある。
【０００５】
【課題を解決するための手段】
上記課題を解決するために本発明にあっては、一対の籠半体１，１の上部１ａが互いに枢着されて側部１ｂ及び底部１ｃが開閉可能とされると共に上部に餌撒き用の開口を設けて籠本体Ａが形成され、籠本体Ａの上部に各籠半体１，１を互いに閉じる方向に付勢するバネ部材３が係止された魚釣用餌籠であって、釣糸５に連結された魚釣用餌籠を海中に投げ込むときの遠心力によって各籠半体１，１がバネ部材３のバネ力に抗して開くのを防止するための籠開き防止手段６を設けたことを特徴としており、このように構成することで、投げ込み時の遠心力で各籠半体１，１が開くのを籠開き防止手段６によって防止でき、海に入る前に籠本体Ａ内に詰め込んだ多量の餌が外部に流出してしまうことがない。
【０００６】
また、上記籠開き防止手段６は、その一端が釣糸５に連結され他端がバネ部材３に設けた環部４を通して籠本体Ａの上部１ａの枢着軸７，８近傍に連結される開き防止糸６ａにより構成されているのが好ましく、この場合、簡単な構造で、投げ込み時の遠心力を開き防止糸６ａを介して籠本体Ａの枢着軸７，８側で受け止めることができ、籠半体１，１が開くのを防止できる。
【０００７】
また、上記開き防止糸６ａの他端を２本の糸６ｂ，６ｃで形成し、その一方の先端を一方の籠半体１の枢着軸７近傍に連結すると共に、他方の先端を上部開口２を挟んで上記一方の籠半体の枢着軸７と対向する他方の籠半体１の枢着軸８近傍に連結してなるのが好ましく、この場合、投げ込み時の遠心力が開き防止糸６ａの他端を形成する２本の糸６ｂ，６ｃを介して各籠半体１，１の離れた２箇所でバランス良く受け止められ、これにより開き防止糸６ａに加わる遠心力がバネ部材３に大きく作用するのを防止でき、それでいて開き防止糸６ａを利用して籠本体Ａの中心軸上にバネ部材３の環部４を位置させることができ、籠本体Ａをバランス良く海中に投げ込むことができるようになる。さらに遠心力は籠本体Ａの枢着軸７，８近傍で受け止められるため、籠半体１，１が枢着軸７，８を中心に開くこともない。
【０００８】
【発明の実施の形態】
以下、本発明を添付図面に示す実施形態に基づいて説明する。
【０００９】
本実施形態の魚釣用餌籠は、図１（ａ）に示すように、上部１ａが互いに枢着されて側部１ｂ及び底部１ｃが開閉可能とされると共に餌撒き用の上部開口２を有する一対の籠半体１，１からなる籠本体Ａと、籠本体Ａの上部に係止されて各籠半体１，１を互いに閉じる方向に付勢するバネ部材３と、釣糸５に連結された魚釣用餌籠を海中に投げ込むときの遠心力によって各籠半体１，１がバネ部材３のバネ力に抗して開くのを防止するための籠開き防止手段６とで主体が構成されている。
【００１０】
ここで、上記一対の籠半体１，１は、略半円筒状をしており、合成樹脂あるいは金属等により形成してあり、側面には網のように多数の小さな通水孔９が形成してある。通水孔９の大きさは内部に入れる餌がこの通水孔９から出ない程度の大きさとする。
【００１１】
各籠半体１，１の上部１ａには餌撒き用の上部開口２が設けられ、その開口縁には上縁フレーム１０があって、上縁フレーム１０より上方につまみ片１１を連出してある。ここでは、各籠半体１，１を枢着する一対の枢着軸７，８は各籠半体１，１の上縁中央部に設けられ、つまみ片１１，１１は各籠半体１，１の上縁中央部に設けられている。また上部開口２には、海中内で上部開口２から餌が一度に多量に流出するのを阻止して少量ずつ流出可能とするための多量流出阻止用の軸部１２が複数設けられている。なお多量流出阻止手段として、複数の軸部１２に限られるものではなく、調整弁等であってもよい。
【００１２】
各籠半体１，１の側部１ｂから底部１ｃに至る突き合せ部１４には、のこ歯状部１４ａがそれぞれ設けられ、各のこ歯状部１４ａが互いに噛合することで、籠半体１，１が閉じられるようになっている。さらに、籠半体１の底部１ｃの内面側には鉛のような金属製の重り１５が設けてあって、水中において上部開口２が上を向くようにしてある。
【００１３】
上記閉鎖用のバネ部材３は、上記各つまみ片１１，１１間に張設されている。ここでは、バネ部材３は、バネ性のある線材を略逆Ｕ字状に曲成され、その上部に環部４を有し、下部両端に外方に向けて引掛け部１６を有しており、各引掛け部１６をつまみ片１１に設けた透孔に挿入係止することで各つまみ片１１は互いに開く方向に向かって付勢され、従って、各籠半体１，１は枢着軸７，８を中心として閉じる方向に付勢される。
【００１４】
一方、籠開き防止手段６は、一端が釣糸５に連結され他端がバネ部材３に設けた環部４を通して籠本体Ａの上部１ａの枢着軸７，８近傍に連結される開き防止糸６ａで構成されており、投げ込み時の遠心力を開き防止糸６ａを介して籠本体Ａの枢着軸７，８側で受け止めるようにしている。ここでは、投げ込み時の遠心力をバランス良く受け止めるために、図１（ｄ）に示すように、開き防止糸６ａの一端を釣糸５の先端フック４０を通し、開き防止糸６ａの他端を２本の糸６ｂ，６ｃで形成し、これら２本の糸６ｂ，６ｃをバネ部材３の環部４内でクロスさせて左右反対方向に延ばし、その一方の糸６ｃの先端を一方の籠半体１の枢着軸７近傍に設けた連結穴１７に結びつけると共に、他方の糸６ｂの先端を上部開口２を挟んで上記枢着軸７と対向する他方の籠半体１の枢着軸８近傍に設けた連結穴１８に結びつけている。なお、開き防止糸６ａの材質は特に限られず、例えば、てぐす、麻、絹、ナイロン、テトロン、ワイヤーなどであってもよく、要は細くて丈夫なものであればよい。
【００１５】
上記構成の籠本体Ａ内に冷凍あみエビのような餌を入れるにあたっては、図２に示すように、一対のつまみ片１１を手の指でつまんでバネ部材３のバネ力に抗して各籠半体１，１を開いて餌を入れた容器内に突込み、その後つまみ片１１を離すと、バネ部材３のバネ力によって各籠半体１，１が閉じられ、手を汚さずに餌を充填できる。その後、釣竿を投げて魚釣用餌籠を海中に投下し、釣糸５を微少量上下させることで、海中に餌を撒き散らす。
【００１６】
ここで、本発明では、従来のように釣糸５はバネ部材３の環部４に対して連結されるのではなく、開き防止糸６ａを介して籠本体Ａの枢着軸７，８近傍に連結されているので、投げ込み時における遠心力は、バネ部材３にはかからず、開き防止糸６ａを介して籠本体Ａの枢着軸７，８側で受け止められることとなる。つまり、図１において、釣糸５にかかる遠心力（引っ張り力）をＦ、左右反対方向に延びた２本の糸６ｂ，６ｃに発生する反力をｆ１，ｆ２とすると、Ｆと（ｆ１＋ｆ２）とが互いに釣り合うことによって、遠心力Ｆはバネ部材３に作用せず、従って、従来のように籠半体１，１が開くことがない。しかも２本の糸６ｂ，６ｃを左右反対方向に延ばして枢着軸７，８近傍に連結しているので、投げ込み時の遠心力Ｆは、バネ部材３の環部４から２本の糸６ｂ，６ｃを介して各籠半体１，１の離れた２箇所でバランス良く受け止められることとなり、これにより開き防止糸６ａに加わる遠心力がバネ部材３に大きく作用するのを防止でき、そのうえ開き防止糸６ａを利用して籠本体Ａの中心軸上にバネ部材３の環部４を位置させることができるので、籠本体Ａをバランス良く海中に投げ込むことができるようになる。さらに遠心力は籠本体Ａの枢着軸７，８近傍で受け止められるため、籠半体１，１が枢着軸７，８を中心に開くこともなく、従って、餌の流出をより確実に防止でき、目標とする海中内でのみ籠本体Ａ内の餌を適確且つ効果的に放出できる結果、従来のものに比べて多大な釣果が期待でき、極めて実用性に富んだものとなる。
【００１７】
また本例では、開き防止糸６ａの一端を釣糸５に連結し、他端を２本の糸６ｂ，６ｃで形成し、これらをバネ部材３に設けた環部４内でクロスさせた後に枢着軸７，８近傍に連結したので、組み立てが極めて簡単となり、コストダウンを図ることができる。
【００１８】
また本例では、バネ部材３の引掛け部１６を内方に向けており、且つ籠半体１，１に設けたのこ歯状部１４ａを互いに噛み合わせるようにしているので、各籠半体１，１を開いて餌をつかむとき餌をすくいやすい上、籠半体１，１間に餌がはさまったりしにくいものとなる。また、引掛け部１６をつまみ片１１の透孔に回動自在に挿入係止させるようにすれば、不使用時、バネ部材３が籠半体１，１の内側に回動して小さく収納できるようになるという利点もある。
【００１９】
なお、籠本体Ａの形状として略円筒状を説明したが、添付図面の実施形態のものにのみ限定されるものではなく、角筒状等の形状でもよいものである。
【００２０】
【発明の効果】
上述のように請求項１記載の発明にあっては、一対の籠半体の上部が互いに枢着されて側部及び底部が開閉可能とされると共に上部に餌撒き用の開口を設けて籠本体が形成され、籠本体の上部に各籠半体を互いに閉じる方向に付勢するバネ部材が係止された魚釣用餌籠であって、釣糸に連結された魚釣用餌籠を海中に投げ込むときの遠心力によって各籠半体がバネ部材のバネ力に抗して開くのを防止するための籠開き防止手段を設けたので、投げ込み時の遠心力で各籠半体が開くのを防止できる。つまり、従来のように投げ込み時の遠心力によってバネ部材が引っ張られて籠半体が開くことがないので、海に入る前に籠本体内に詰め込んだ多量の餌が外部に流出してしまうことがなくなる。従って、目標とする海中内でのみ籠本体内の餌を適確且つ効果的に放出できるようになる結果、従来のものに比べて多大な釣果が期待でき、実用性に富んだものとなる。
【００２１】
また請求項２記載の発明は、請求項１記載の効果に加えて、籠開き防止手段は、その一端が釣糸に連結され他端がバネ部材に設けた環部を通して籠本体の上部の枢着軸近傍に連結される開き防止糸により構成されているので、簡単な構造で、投げ込み時の遠心力を開き防止糸を介して籠本体の枢着軸側で受け止めることができ、籠半体が開くのを確実に防止できる。
【００２２】
また請求項３記載の発明は、請求項２記載の効果に加えて、開き防止糸の他端を２本の糸で形成し、その一方の先端を一方の籠半体の枢着軸近傍に連結すると共に他方の先端を上部開口を挟んで上記一方の籠半体の枢着軸と対向する他方の籠半体の枢着軸近傍に連結してなるので、投げ込み時の遠心力が開き防止糸の他端を形成する２本の糸を介して各籠半体の離れた２箇所でバランス良く受け止められることとなり、これにより開き防止糸に加わる遠心力がバネ部材に大きく作用するのを防止でき、それでいて開き防止糸を利用して籠本体の中心軸上にバネ部材の環部を位置させることができ、籠本体をバランス良く海中に投げ込むことができるようになる。そのうえ遠心力は籠本体の枢着軸近傍で受け止められるため、籠半体が枢着軸を中心に開くこともなく、この結果、餌の流出をより確実に防止できるものである。
【図面の簡単な説明】
【図１】本発明の実施形態の一例を示し、（ａ）は斜視図、（ｂ）は（ａ）のイ部の拡大図、（ｃ）は（ａ）のロ部の拡大図、（ｄ）は（ａ）のハ部の拡大図である。
【図２】同上の籠本体内に餌を詰め込む場合の説明図である。
【図３】（ａ）は従来例の側面図、（ｂ）は投げ込み時の遠心力によって籠半体が開いた状態の説明図である。
【符号の説明】
Ａ　籠本体
１　籠半体
１ａ　上部
１ｂ　側部
１ｃ　底部
２　上部開口
３　バネ部材
４　環部
６　籠開き防止手段
６ａ　開き防止糸
７，８　枢着軸
【図１】
2004041028.tif 000003
【図２】
2004041028.tif 000004
【図３】
2004041028.tif 000005